(57)【要約】【課題】  鉄筋の固定作業を簡単にかつ短時間で行なうことができるようにした土砂崩れ防止用金網ユニットおよび鉄筋固定プレートを提供する。【解決手段】  鉄筋固定プレート５０は、ネットコネクタ２０の横棒２１と縦棒２３との交差部に鉄筋３を固定保持するためのものであり、プレート部５２と、弾性保持部５３と、横抱え部５４とを備える。プレート部５２は、横棒２１上に位置し縦棒２３を上下に通過させる貫通穴５１を有する。弾性保持部５３は、プレート部５１の一方端部分から立ち上がり、鉄筋３を交差部に向かって押し付けて保持する。横抱え部５４は、横棒２１を横から抱えるようにプレート部５２に連結されている。【選択図】      図９
2005061015.tif 000002
【特許請求の範囲】
【請求項１】
第１および第２の金網と、
前記第１および第２の金網の間に位置して両金網の間隔を一定に保つものであり、両端が前記第１および第２の金網に連結される横棒と、前記横棒に対して交差するように配置され交差部で前記横棒に固定される１対の縦棒とを有するネットコネクタと、
前記ネットコネクタの前記横棒と縦棒との交差部に連結された状態で前記第１および第２の金網の間を延びる鉄筋とを備えた土砂崩れ防止用金網ユニットにおいて、
前記鉄筋を前記交差部に固定保持するための鉄筋固定プレートを備え、
前記鉄筋固定プレートは、前記横棒上に位置し前記縦棒を上下に通過させる貫通穴を有するプレート部と、前記プレート部の一方端部分から立ち上がり前記鉄筋を前記交差部に向かって弾性的に押し付けて保持する弾性保持部と、前記横棒を横から抱えるように前記プレート部に連結された横抱え部とを含むことを特徴とする、土砂崩れ防止用金網ユニット。
【請求項２】
ネットコネクタの横棒と縦棒との交差部に鉄筋を固定保持するための鉄筋固定プレートであって、
前記横棒上に位置し前記縦棒を上下に通過させる貫通穴を有するプレート部と、
前記プレート部の一方端部分から立ち上がり前記鉄筋を前記交差部に向かって弾性的に押し付けて保持する弾性保持部と、
前記横棒を横から抱えるように前記プレート部に連結された横抱え部とを備える、鉄筋固定プレート。
【請求項３】
前記弾性保持部は、保持すべき鉄筋に係合する位置まで屈曲させた屈曲係合部を含む、請求項２に記載の鉄筋固定プレート。
【請求項４】
前記屈曲係合部は、一部を切起こした切起こし部を含む、請求項３に記載の鉄筋固定プレート。
【請求項５】
前記横抱え部は、横棒に係合する位置まで屈曲させた屈曲係合部を含む、請求項２〜４のいずれかに記載の鉄筋固定プレート。
【請求項６】
前記屈曲係合部は、一部を切起こした切起こし部を含む、請求項５に記載の鉄筋固定プレート。
【発明の詳細な説明】
【技術分野】
【０００１】
この発明は、土砂崩れ防止用金網に関し、より特定的には、コンクリートを受け入れて固めることによって斜面の土砂崩れを防止するための土砂崩れ防止用金網ユニットおよび鉄筋固定プレートに関するものである。
【背景技術】
【０００２】
山の急斜面などに、土砂崩れを防ぐためのコンクリートが敷設されることがある。図１は、山の斜面にコンクリートを敷設した状態を示している。一般的には、コンクリート３０の強度確保などの目的から、コンクリート３０の表面は、凹部３０ｂと凸部３０ａとを有する凹凸形状とされる。
【０００３】
コンクリート３０を上記のように凹凸形状にするために、コンクリート３０の凸部３０ａの中には、金網が埋設される。
【０００４】
図２は、コンクリート３０中に埋設された金網を示している。図示するように、１対の金網１１０，１１０が所定の間隔で縦横に並ぶように配置されている。１対の金網１１０，１１０の全体構造は、図３に示すような多数の金網ユニット１０を組み合わせて作られる。
【０００５】
図３に示すように、土砂崩れ防止用金網ユニット１０は、第１金網１と、第２金網２と、両金網１，２の間に位置して両金網の間隔を一定に保つネットコネクタ２０と、図４に示す鉄筋３とを備える。第１および第２金網１，２は、典型的にはクリンプ金網である。
【０００６】
図３および図４に示すように、ネットコネクタ２０は、上横棒２１と、下横棒２２と、左縦棒２３と、右縦棒２４とを有する。上下の横棒２１，２２は金属製の棒材であり、その両端が第１および第２金網１，２に連結されている。左右の縦棒２３，２４も金属製の棒材であり、上下の横棒２１，２２に交差するように配置されている。横棒２１，２２と、縦棒２３，２４とは、それらの交差部で溶接されることによって、互いの位置関係が固定される。
【０００７】
図３および図４に示したネットコネクタ２０は、２本の平行な横棒２１，２２と２本の平行な縦棒２３，２４とを備えたものであるが、２本の平行な横棒とそれらに交差する１本の縦棒とから構成されるものもある。
【０００８】
土砂崩れ防止用金網ユニット１０は、図３に示すように、複数のネットコネクタ２０を所定の間隔で配置させている。金網ユニット１０の構造を強固にするために、横棒２１，２２と縦棒２３，２４との交差部に鉄筋３を配置する。鉄筋３は複数のネットコネクタ２０を連結するように、すなわち図４において紙面に対して垂直な方向に延びている。
【０００９】
図４に示した構造では、４本の鉄筋が用いられているが、それらの固定は、次のようにして行う。まず、法面に２本の下鉄筋３を設置する。次に、２本の下鉄筋３の上に図３に示す金網ユニット１０を置く。次に、下鉄筋３を持ち上げて横棒２２と縦棒２３，２４との交差部に位置させ、その位置で鉄筋３と交差部とを細いワイヤ４で巻き付けて固定する。次に、上鉄筋３を横棒２１と縦棒２３，２４との交差部に位置させ、その位置で鉄筋３と交差部とを細いワイヤ４で巻き付けて固定する。
【発明の開示】
【発明が解決しようとする課題】
【００１０】
従来の土砂崩れ防止用金網ユニット１０においては、細いワイヤ４を用いて鉄筋３を交差部に巻き付けて固定している。図４に示した形状のネットコネクタ２０の場合、１個のネットコネクタ２０に対して４回の巻き付け作業を行わなければならない。金網ユニット１０は、複数のネットコネクタ２０を備えているので、１個の金網ユニット１０に対して鉄筋３の巻き付け作業の回数は非常に多くなる。
【００１１】
また、上記の巻き付け作業は急な斜面上で行うものであるので、巻き付け力が弱いと鉄筋が滑り落ちてしまう危険性がある。そのため、慎重かつ確実な巻き付け作業が要求される。上記のような巻き付け作業は作業者にとって非常に煩雑である。また、多くの作業時間を必要とするので、結果として工期の長期化につながる。
【００１２】
この発明は、上記の課題を解決するためになされたものであり、その目的は、鉄筋の固定作業を簡単にかつ短時間で行うことができるようにした土砂崩れ防止用金網ユニットおよび鉄筋固定プレートを提供することである。
【課題を解決するための手段】
【００１３】
この発明に従った土砂崩れ防止用金網ユニットは、第１および第２の金網と、ネットコネクタと、鉄筋と、鉄筋固定プレートとを備える。ネットコネクタは、第１および第２の金網の間に位置して両金網の間隔を一定に保つものであり、両端が第１および第２の金網に連結される横棒と、横棒に対して交差するように配置され交差部で横棒に固定される１対の縦棒とを有する。鉄筋は、ネットコネクタの横棒と縦棒との交差部に連結された状態で第１および第２の金網の間を延びる。
【００１４】
鉄筋固定プレートは、鉄筋を交差部に固定保持するためのものであり、横棒上に位置し縦棒を上下に通過させる貫通穴を有するプレート部と、プレート部の一方端部分から立ち上がり鉄筋を交差部に向かって弾性的に押し付けて保持する弾性保持部と、横棒を横から抱えるようにプレート部に連結された横抱え部とを含む。
【００１５】
上記の構成によれば、簡単な操作で鉄筋固定プレートをネットコネクタに装着でき、かつ鉄筋を鉄筋固定プレートの弾性保持部により簡単に固定保持することができるので、鉄筋の固定作業を簡単かつ短時間で行なうことができるようになる。また、鉄筋固定プレートの横抱え部が横棒を横から抱えているので、鉄筋固定プレートがネットコネクタから外れるのが阻止される。
【００１６】
一つの実施形態では、鉄筋固定プレートの弾性保持部は、保持すべき鉄筋に係合する位置まで屈曲させた屈曲係合部を含む。屈曲係合部は、一部を切起こした切起こし部を含むものであってもよい。
【００１７】
また、一つの実施形態では、鉄筋固定プレートの横抱え部は、横棒に係合する位置まで屈曲させた屈曲係合部を含む。屈曲係合部は、一部を切起こした切起こし部を含むものであってもよい。
【発明を実施するための最良の形態】
【００１８】
図５はこの発明の一実施形態である土砂崩れ防止用金網ユニットを示す斜視図であり、図６は図５の金網ユニットに鉄筋を取付けた状態を示す斜視図である。なお、各図において同一の参照番号を付したものは、同一または相当の要素を示すものである。
【００１９】
図５および図６に示す土砂崩れ防止用金網ユニットは、第１および第２の金網１，２と、ネットコネクタ２０と、鉄筋３と、鉄筋固定プレート５０とを備える。ネットコネクタ２０は、第１および第２の金網１，２の間に位置して両金網の間隔を一定に保つものであり、両端が第１および第２の金網１，２に連結される上下の横棒２１，２２と、横棒２１、２２に対して交差するように配置され交差部で横棒に固定される左右の縦棒２３，２４とを有する。
【００２０】
鉄筋３は、鉄筋固定プレート５０を介して、ネットコネクタ２０の横棒２１，２２と縦棒２３、２４との交差部に連結された状態で第１および第２の金網１，２の間を延びている。
【００２１】
図７は、鉄筋固定プレート５０を示す斜視図である。鉄筋固定プレート５０は、図６に示すように、鉄筋３を横棒２１と縦棒２３との交差部に固定保持するためのものであり、横棒２１上に位置し縦棒２３を上下に通過させる貫通穴５１を有する平らなプレート部５２と、プレート部５２の一方端部分から上方に湾曲して立ち上がり鉄筋３を交差部に向かって弾性的に押し付けて保持する弾性保持部５３と、横棒２１を横から抱えるようにプレート部５２に連結された横抱え部５４とを含む。
【００２２】
弾性保持部５３は、保持すべき鉄筋３に係合する位置まで屈曲させた屈曲係合部を含む。図示した実施形態では、屈曲係合部は、弾性保持部５３の一部を切起こした切起こし部５５を含む。
【００２３】
横抱え部５４は、横棒２１を横から抱え込むことができるように、プレート部５２の側縁からＬ字状に屈曲して延びている。図示した実施形態では、横抱え部５４のうち、横棒２１の下に位置する部分の一部を切起こして切起こし部５６を形成している。
【００２４】
図８は、鉄筋固定プレート５０を横棒２１と縦棒２３との交差部に装着する途中の状態を示している。図示するように、まず鉄筋固定プレート５０の貫通穴５１内に縦棒２３を通すようにして、鉄筋固定プレート５０を横棒２１に接触するまで下降させる。鉄筋固定プレート５０が横棒２１に当接したら、図中矢印Ｂ示すように、鉄筋固定プレート５０を縦棒２３の周りで回転させ、横抱え部５４が横棒２１を抱え込むようにする。
【００２５】
図９および図１０は、鉄筋固定プレート５０を横棒２１と縦棒２３との交差部に装着した状態を示している。図１０は、図９の線Ａ−Ａに沿って見た断面図である。
【００２６】
鉄筋固定プレート５０の横抱え部５４はある程度の弾性力を有しているので、鉄筋固定プレート５０を回転させて横棒２１を受け入れようとするとき、下方に弾性的に撓み、横棒２１を所定の位置にまで受け入れる。鉄筋固定プレート５０の装着状態では、横抱え部５４の切起こし部５６の先端が横棒２１に係合するようになるので、横棒２１が横抱え部から抜け出ることはない。また、横抱え部５４が横棒２１を横から抱えているので、鉄筋固定プレート５０が縦棒２３に沿って上下に動くこともない。
【００２７】
鉄筋３を取付ける場合には、図９に示すように、鉄筋３を、鉄筋固定プレート５０の弾性保持部５３と縦棒２３との間に差し込んでゆく。弾性保持部５３は外方に弾性的に広がって鉄筋３を受け入れるので、鉄筋３を受け入れた状態では、元の形状に復帰しようとする弾性力を発揮し、鉄筋３をネットコネクタ２０の交差部に向かって弾性的に押し付けて保持する。図示した実施形態では、弾性保持部５３の切起こし部５５が鉄筋３の上面部分にくさび状に係合するので、鉄筋３に対する固定力が強い。
【００２８】
鉄筋固定プレート５０は鉄筋３に面接触するので、鉄筋３の取付状態では金網ユニットのがたつきが小さくなる。鉄筋３を取り外す場合には、鉄筋固定プレート５０の弾性保持部５３の先端を指で外方に広げればよい。
【００２９】
図１１は、鉄筋固定プレートの他の例を示している。図示する鉄筋固定プレート６０の弾性保持部６１には、切起こし部が設けられていない。
【００３０】
図１２は、鉄筋固定プレートのさらに他の例を示している。図示する鉄筋固定プレート７０の弾性保持部７１の先端は鉄筋３側に向かって屈曲している。この屈曲係合部７２は、鉄筋３の上面部部分にくさび状に係合する。
【００３１】
図１３は、鉄筋固定プレートのさらに他の例を示している。図示する鉄筋固定プレート８０は、プレート部８１の側縁から湾曲して下方に折れ曲がった横抱え部８２を有する。
【００３２】
図１４は、鉄筋固定プレートのさらに他の例を示している。図示する鉄筋固定プレート９０は、プレート部９１の側縁から下方に折れ曲がった横抱え部９２を含む。横抱え部９２の先端は横棒２１に向かって屈曲している。この屈曲係合部９３は、横棒２１にくさび状に係合するので固定力が強くなる。
【００３３】
上記に説明した各実施形態では、左縦棒２３と上横棒２１との交差部における鉄筋３の固定構造に注目したが、右縦棒２４と上横棒２１との交差部や、左右の縦棒２３，２４と下横棒２２との交差部に対しても、本発明を同様に適用することができる。
【００３４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３５】
【図１】山の斜面にコンクリートが敷設されている状態を示す図である。
【図２】土砂崩れ防止用金網の全体構造を示す図である。
【図３】従来の土砂崩れ防止用金網ユニットを示す斜視図である。
【図４】従来の土砂崩れ防止用金網ユニットを示す正面図である。
【図５】本発明の一実施形態の土砂崩れ防止用金網ユニットを示す図である。
【図６】図５の金網ユニットに鉄筋を取付けた状態を示す図である。
【図７】鉄筋固定プレートを示す斜視図である。
【図８】鉄筋固定プレートの装着途中の状態を示す図である。
【図９】鉄筋固定プレートの弾性保持部が鉄筋を固定保持している状態を示す断面図である。
【図１０】図９の線Ａ−Ａに沿って見た断面図であり、鉄筋固定プレートの横抱え部が横棒を抱えている状態を示している。
【図１１】鉄筋固定プレートの他の例を示す断面図である。
【図１２】鉄筋固定プレートのさらに他の例を示す断面図である。
【図１３】鉄筋固定プレートのさらに他の例を示す断面図である。
【図１４】鉄筋固定プレートのさらに他の例を示す断面図である。
【符号の説明】
【００３６】
１  第１の金網、２  第２の金網、３  鉄筋、２０  ネットコネクタ、２１，２２  横棒、２３，２４  縦棒、５０  鉄筋固定プレート、５１  貫通穴、５２  プレート部、５３  弾性保持部、５４  横抱え部、５５  切起こし部、５６  切起こし部、６０  鉄筋固定プレート、６１  弾性保持部、７０  鉄筋固定プレート、７１  弾性保持部、７２  屈曲係合部、８０  鉄筋固定プレート、８１  プレート部、８２  横抱え部、９０  鉄筋固定プレート、９１  プレート部、９２  横抱え部、９３  屈曲係合部。
【図１】
2005061015.tif 000003
【図２】
2005061015.tif 000004
【図３】
2005061015.tif 000005
【図４】
2005061015.tif 000006
【図５】
2005061015.tif 000007
【図６】
2005061015.tif 000008
【図７】
2005061015.tif 000009
【図８】
2005061015.tif 000010
【図９】
2005061015.tif 000011
【図１０】
2005061015.tif 000012
【図１１】
2005061015.tif 000013
【図１２】
2005061015.tif 000014
【図１３】
2005061015.tif 000015
【図１４】
2005061015.tif 000016